(57)【要約】【課題】小型かつ二次元撮像へ切り替えができ、三次元撮像時に視差の調整を可能にした撮像装置の光量調整装置を提供すること。【解決手段】開口部と、第一の駆動部と、前記第一の駆動部によって前記開口部を二分割する分割絞り羽根をもち、前記分割絞り羽根が開口部より退避する際、開口部が一つとなり、前記分割絞り羽根が開口部を遮蔽する際、開口部が二つとなり、前記分割絞り羽根の前記開口部の遮蔽量によって二つの前記開口部の中心が移動可能なことを特徴とする。【選択図】  図１
2016029415.tif 000002
【特許請求の範囲】
【請求項１】
開口部と、
第一の駆動部と、
前記第一の駆動部によって前記開口部を二分割する分割絞り羽根をもち、
前記分割絞り羽根が開口部より退避する際、開口部が一つとなり、
前記分割絞り羽根が開口部を遮蔽する際、開口部が二つとなり、
前記分割絞り羽根の前記開口部の遮蔽量によって二つの前記開口部の中心が移動可能な光量調整装置。
【請求項２】
前記開口部は配置された第二の駆動部と、
前記第二の駆動部によって摺動する第一、第二の開口絞り羽根をもち、
前記二つの開口絞り羽根によって前記開口部の大きさが可変可能な請求項１に記載の光量調整装置。
【請求項３】
少なくとも前記一方の開口絞り羽根と前記分割絞り羽根は共通の突起部にそって摺動する請求項２に記載の光量調整装置。
【請求項４】
前記分割絞り羽根は第一、第二の分割絞り羽根の二枚からなり、  
前記開口絞り羽根の光軸方向外側に前記第一、第二の分割絞り羽根がそれぞれ一枚ずつ配置される請求項２又は請求項３に記載の光量調整装置。
【発明の詳細な説明】
【技術分野】
【０００１】
本発明は、光量調整装置に関し、特に撮像装置の光量調整装置に関するものである。
【背景技術】
【０００２】
従来三次元撮像装置の主流な方法として視差をもった同じ光学系を二つ設ける方式がある。片方の光学系を遮蔽することで二次元撮像装置としても使用可能だが、光学系が二つあるため、その分大型化する問題があった。 
【０００３】
特許文献１では光学式アダプタの着脱に連動して自動的に二次元撮影モードと二次元撮影モードを切り替える手法が開示されている。特許文献2では光路を分割する二穴タイプの絞りと通常の一穴タイプの絞りを切り替えることで、二穴絞りの際（焦点検出時）に視差をもった二種類の像を得ることができ、この像を比較することで焦点調節を行う。そして一穴絞りの際は撮影時の光量調整を行う。このような撮像装置が提案されている。
【先行技術文献】
【特許文献】
【０００４】
【特許文献１】特開平７−２７４２１４号公報
【特許文献２】特登録３９１９４７１号公報
【発明の概要】
【発明が解決しようとする課題】
【０００５】
しかしながら、特許文献１に記載された手法では、光軸方向への大型化は避けられない。特許文献２で記載された撮像装置を応用することで二穴絞りの際は三次元撮像、一穴絞りのときは二次元撮像が可能な撮像装置が実現可能だが、提案の構成では二穴時の穴形状や間隔が変更できないため視差の調整が困難である。
【０００６】
そこで、本発明の目的は、小型かつ二次元撮像へ切り替えができ、三次元撮像時に視差の調整を可能にした撮像装置の光量調整装置を提供することである。
【課題を解決するための手段】
【０００７】
上記目的を達成するために、本発明に係る光量調整装置の構成は、
開口部と、
第一の駆動部と、
前記第一の駆動部によって前記開口部を二分割する分割絞り羽根をもち、
前記分割絞り羽根が開口部より退避する際、開口部が一つとなり、
前記分割絞り羽根が開口部を遮蔽する際、開口部が二つとなり、
前記分割絞り羽根の前記開口部の遮蔽量によって二つの前記開口部の中心が移動可能なことを特徴とする。
【発明の効果】
【０００８】
本発明によれば、小型かつ二次元撮像へ切り替えができ、三次元撮像時に視差の調整を可能にした撮像装置の光量調整装置を提供することができる。
【図面の簡単な説明】
【０００９】
【図１】本発明の実施形態１における三次元撮影時の視差調整時の光量調整装置の絞り羽根の状態を示す図である（板金非表示）。
【図２】本発明の実施形態１における光量調整装置を備えた、レンズ鏡筒の断面図である。
【図３】本発明の実施形態１における光量調整装置を備えた、レンズ鏡筒内部の構成を示す図である。
【図４】本発明の実施形態１における光量調整装置を備えた、カメラユニットのブロック図である。
【図５】本発明の実施形態１における光量調整装置内部の構成を示す図である。
【図６】本発明の実施形態１における二次元撮影時の光量調整装置の絞り羽根の状態を示す図である。（板金非表示）
【図７】本発明の実施形態１における三次元撮影時の光量調整時の光量調整装置の絞り羽根の状態を示す図である（板金非表示）。
【図８】本発明の実施形態１における光量調整装置を備えた、カメラユニットの撮像素子の構成を示す図である。
【図９】本発明の実施形態１における光量調整装置を備えた、カメラユニットの撮像素子の一画素への構成を示す図である。
【図１０】本発明の実施形態１における光量調整装置を備えた、三次元撮像時のカメラユニットの撮像素子の一画素への光入射を示す図である。
【図１１】本発明の実施形態２における光量調整装置内部の構成を示す図である。
【図１２】本発明の実施形態２における二次元撮影時の光量調整装置の絞り羽根の状態を示す図である（板金非表示）。
【図１３】本発明の実施形態２における三次元撮影時の視差調整時の光量調整装置の絞り羽根の状態を示す図である（板金非表示）。
【図１４】本発明の実施形態２における三次元撮影時の光量調整時の光量調整装置の絞り羽根の状態を示す図である（板金非表示）。
【図１５】本発明の実施形態３における光量調整装置内部の構成を示す図である。
【図１６】本発明の実施形態３における二次元撮影時の光量調整装置の絞り羽根の状態を示す図である（板金非表示）。
【図１７】本発明の実施形態３における三次元撮影時の視差調整時の光量調整装置の絞り羽根の状態を示す図である（板金非表示）。
【発明を実施するための形態】
【００１０】
以下に、本発明の好ましい実施の形態を、添付の図面に基づいて詳細に説明する。
【００１１】
［実施例１］
図１は本発明の実施形態１における三次元撮影時の視差調整時の光量調整装置の絞り羽根の状態を示す図である（板金非表示）。
【００１２】
図２は本発明の実施形態１における光量調整装置を備えた、レンズ鏡筒の断面図である。図３は本発明の実施形態１における光量調整装置を備えた、レンズ鏡筒内部の構成を示す図である。この光量調整装置は、三次元撮像可能なビデオカメラ等の撮影装置に用いられるものである。
【００１３】
図１〜図３において、1は本実施例の光量調整装置を搭載したレンズ鏡筒で、L１〜L４からなる４群レンズである。L１は固定の第１群レンズである。L２は光軸方向に移動して変倍動作を行う第２群レンズ。L３は固定の第３群レンズである。L４は光軸方向に移動して合焦動作を行う第４群レンズである。
【００１４】
１１は第１群レンズL１を保持する固定枠で、1群固定ビス１１aによって、固定枠１２と係合している。１５は第３群レンズL３を保持する固定枠で、図示しない絞り固定ビス１４aによってL２側に本実施例１の光量調整装置１４が固定されており、固定枠１２および固定枠９に挟み込まれる形で係合している。
【００１５】
２１、２３はガイドバーで、固定枠１２、固定枠９に挟まれる形で固定されている。２２はガイドバーで、固定枠１２、固定枠１５に挟まれる形で固定されている。２４はガイドバーで、固定枠１５、固定枠９に挟まれる形で固定されている。１３は２群レンズL２を保持する可動枠で、ガイドバー２１によって、光軸方向に移動可能に支持される。またガイドバー２２にて、２群可動枠１３上のＵ溝１３aが係合して、ガイドバー２２周りの回転が規制される。
【００１６】
１６は４群レンズL４を保持する可動枠で、ガイドバー２３によって、光軸方向に移動可能に支持される。ガイドバー２４にて、４群可動枠上のＵ溝１６aが係合して、上記ガイドバー２４周りの回転が規制される。１７はズーム用のステッピングモーターで、固定ビス１７によって、固定枠１２に固定されている。ネジ部１７aが可動枠１３に固定されたラック１３bに係合しており、ネジ部１７aの回転により、上記可動枠１３は光軸方向に移動する。
【００１７】
１８はフォーカス用のステッピングモーターで、固定ビス１８aによって、固定枠９に固定されている。ネジ部１８bが可動枠１６に固定されたラック１６bに係合しており、ネジ部１８bの回転により、上記可動枠１６は光軸方向に移動する。１９はフォトインタラプタと板金で構成されたユニットで、固定枠９に固定ビス１９aによって固定されている。PIユニット１９は２群可動群１３上に配置されており、フォトインタラプタの出力とモーターの回転数によって２群可動群１３の位置を制御する。
【００１８】
２０はフォトインタラプタと板金で構成されたユニットで、フィルタ切替えユニット９に固定ビス２０aによって固定されている。PIユニット２０は４群可動群１６上に配置されており、フォトインタラプタの出力とモーターの回転数によって４群可動群１６の位置を制御する。図４は本発明の実施形態１における光量調整装置を備えた、カメラユニットのブロック図である。図４において撮影時に被写体からの光がレンズ鏡筒１内のレンズ群を通って、固定枠９の後方に配置された、撮像素子２５に入射する。入射した光は処理信号２６に光電変化し、デジタル信号としてＡＦゲート２７を通り、ＡＦ信号処理２８などを行ったあとＣＰＵ５５に入力される。ＣＰＵ２９に入力された信号を元にステッピングモーター１７、１８によって、レンズユニットＬ２、Ｌ４が光軸方向に移動する。
【００１９】
次に光量調整装置１４の構成について説明する。図５は本発明の実施形態１における光量調整装置内部の構成を示す図である。図６は本発明の実施形態１における二次元撮影時の光量調整装置の絞り羽根の状態を示す図である（板金非表示）。
【００２０】
光量調整装置１４は開放開口部３１を備えた板金３０と分割絞り羽根３２、３５と開口絞り羽根３３、３４とベース部材３６とアクチュエータ３７、３８によって構成されている。アクチュエータ３７はアーム３７aを備え、アクチュエータ３７へ通電することでアーム３７aが駆動する。その際アーム３７上にある突起部３７b、３７cに嵌合された長穴部３２a、３５aに駆動力が加わり分割絞り羽根３２、３５が摺動する。分割絞り羽根３２が摺動する際、レール部３２b、３２cが突起部３６d、３６aにガイドされながら直進する。分割絞り羽根３５が摺動する際、レール部３５b、３５cが突起部３６b、３６cにガイドされながら直進する。
【００２１】
３９は開放開口部３１と分割絞り羽根３２、３５と開口絞り羽根３３、３４によって形成された、最終的に撮像素子２５に入射される光量を決定する開口部である。分割絞り羽根３２、３５は二次元撮像時に開口部３９から退避し、三次元撮影時は開口部３９を二分割するよう遮蔽する。絞り羽根の切り替えによって、撮像素子２５に入射する通常一つの光路を二分割する。
【００２２】
次に二次元撮像時の光量調整装置１４について説明する。図６(a)は撮像素子２５に入射される光量を制限しない開放状態、図６(b)は撮像素子２５に入射される光量を絞った際の状態を示す。アクチュエータ３８はアーム３８aを備え、アクチュエータ３８へ通電することでアーム３８aが駆動する。その際アーム３８上にある突起部３８b、３８cに嵌合された長穴部３４a、３３aに駆動力が加わり開口絞り羽根３３、３４が摺動する。開口絞り羽根３３が摺動する際、レール部３３b、３３cが突起部３６c、３６bにガイドされながら直進する。開口絞り羽根３４が摺動する際、レール部３４b、３４cが突起部３６a、３６dにガイドされながら直進する。それによって図6(a)の状態から図6(b)のように撮像素子２５に入射される光量を絞る。開口絞り羽根３３、３４の直進量を調節することで開口部３９は大きさを可変可能となる。
【００２３】
次に三次元撮像時の光量調整装置１４について説明する。図７は本発明の実施形態１における三次元撮影時の光量調整時の光量調整装置の絞り羽根の状態を示す図である（板金非表示）。
【００２４】
視差調整について説明する。図１(a)は図６(b)の状態から分割絞り羽根３２、３５によって開口部３９を遮蔽し、第一の開口部３９aと第二の開口部３９bに２分割した状態である。図1(b) は分割絞り羽根３２、３５と開口絞り羽根３３、３４の摺動によって第一の開口部３９aと第二の開口部３９bの大きさは変えずに中心間距離を移動させた状態を示す。図1(c)は図1(b)の開口部の拡大図である。なお一点鎖線部は開放開口部３１である。
【００２５】
４０は図１(a)の開口部を示す点線である。４枚の絞り羽根の摺動の組み合わせによって光量を絞ることなく、三次元撮像時の視差を調整することが可能である。光量調整について説明する。図７(b)は図１(a)の状態から分割絞り羽根３２、３５と開口絞り羽根３３、３４の摺動によって第一の開口部３９aと第二の開口部３９bの中心からの距離は変えずに大きさを変えた状態を示す。また図７(c)は図７(b)の開口部の拡大図である。
【００２６】
４１は図７(a)の開口部を示す点線である。４枚の絞り羽根の摺動の組み合わせによって視差を変更することなく三次元撮像時の光量を調整することが可能である。このように光量調整装置１４は視差と光量を調整できる。
【００２７】
さらに分割絞り羽根３２と開口絞り羽根３４をガイドする突起部３６a、３６dで共通のガイドである。開口絞り羽根３３と分割絞り羽根３５をガイドする突起部３６b、３６cも共通のガイドである。このようにすることで光量調整装置１４を小型化でき、結果的にレンズ鏡筒１を小型化することができる。
【００２８】
なお分割絞り羽根３２、３５と開口絞り羽根３３、３４は分割絞り羽根３２、開口絞り羽根３３、開口絞り羽根３４、分割絞り羽根３５の順で配置されている。このように凸形状の分割絞り羽根３２、３５を互いに離して配置することで、開口部３９を分割する際に互いの羽根が微小なソリによって衝突するのを回避する。
【００２９】
次に、撮像素子２５について説明する。図８は本発明の実施形態１における光量調整装置を備えた、カメラユニットの撮像素子の構成を示す図である。図９は本発明の実施形態１における光量調整装置を備えた、カメラユニットの撮像素子の一画素への構成を示す図である。
【００３０】
図１０は本発明の実施形態１における光量調整装置を備えた、三次元撮像時のカメラユニットの撮像素子の一画素への光入射を示す図である。撮像素子２５は図８に示すように構成されている。２５１１ａ〜２５ｍｎａおよび３１１b〜３ｍｎbは光電変換部で、ここでは一対の光電変換部２５ｍｎａ，２５ｍｎbを合わせた２５ｍｎで『１画素』が構成されるものとする。また、２５ｍｎａと２５ｍｎbはそれぞれ第１光電変換部および第２光電変換部と称する。なお、ｍは列方向、ｎは行方向の画素の配列数を表している。
【００３１】
図８における１つの画素を光軸直交方向から見たものが図９である。画素３１１は、２つの光電変換部２５１１ａおよび２５１１bを備えており、従来、光電変換部毎に設けていたフローティングディフュージョン領域（以降、ＦＤ領域という）とソースフォロワアンプとを２つの光電変換部に１個だけ形成し、２つの光電変換領域をＭＯＳトランジスタスイッチを介してそのＦＤ領域に接続している。
【００３２】
したがって、２つの光電変換部の電荷を同時又は別々にＦＤ部へ転送でき、ＦＤ領域に接続した転送ＭＯＳトランジスタのタイミングだけで、２つの光電変換部の信号電荷の加算（合成）、非加算を簡単に行うことができる。
【００３３】
この構造を利用して、レンズ鏡筒１の射出瞳全体からの光束による光電変換出力を行う第１の出力モードと、光量調整装置１４によって２分割されたレンズ鏡筒１の射出瞳の各々の光束による光電変換出力を行う第２の出力モードとを切り換え可能としている。
【００３４】
画素レベルで信号の加算を行う第１の出力モードでは、信号を読み出した後で加算する方式に比べてノイズの少ない信号を得ることができる。このような構成の撮像素子２５を用いることによって開口部３９一分割時（第１の出力モード）は二次元撮像を行い、開口部３９二分割時（第２の出力モード）は三次元撮像を行う。
【００３５】
図１０には、撮像素子２５の部分断面図を示す。レンズ鏡筒１は図の左側に位置し、レンズ鏡筒１を射出した光束は、撮像素子２５の入射面側に『１画素』ごとに設けられたマイクロレンズ４２ｍｎに入射する。実際にはマイクロレンズの後方にはカラーフィルターや配線が配置されているが、ここでは図示していない。マイクロレンズに入射した光束は、所定の屈折を受けて光電変換部２５ｍｎａ、２５ｍｎbに到達する。
【００３６】
各マイクロレンズのパワーは、撮像素子２５の画素内の各光電変換部２５ｍｎａ，２５ｍｎbをレンズ鏡筒１の射出瞳に投影するように設定されている。なお、レンズ鏡筒１は瞳より射出した主光線の撮像素子２５への入射角が０度となるようにテレセントリック系とするのがマイクロレンズによる瞳投影精度の点で望ましいが、小型化、ズーム比の高倍率化の要求からテレセントリック系にならない場合もある。この際には、マイクロレンズと受光部とを僅かに偏心させ、偏心量を撮像光学系の光軸から光電変換部までの距離の関数とすればよい。一般には、この偏心量を距離に応じて単調に増加させれば、画面周辺の光電変換部もレンズ鏡筒１の射出瞳上に正しく投影できるようになる。
【００３７】
図１０において実線で示された光束が第１光電変換部２５ｍｎａに入射する光束であり、破線で示された光束が第２光電変換部２５ｍｎbに入射する光束である。したがって、撮像素子２５の全体で第２光電変換部２５ｍｎbに入射する光束はレンズ鏡筒１の射出瞳の上半分（図1(a)では左半分）を通過する光束となる。
【００３８】
一方、撮像素子２５の全体の第１光電変換部２５ｍｎａに入射する光束は、レンズ鏡筒１を対称軸として上下を反転したものとして考えればよいので、レンズ鏡筒１の射出瞳の下半分を通過する光束となる。図1(a)では右半分）。
【００３９】
以上のような撮像系においては、例えば撮像素子２５よりも手前に物体像が形成されているとき、射出瞳の上側を通る半光束は図１０において撮像素子２５上で下側にシフトし、射出瞳の下側を通る半光束は上側にシフトする。つまり、レンズ鏡筒１の瞳の半分ずつを通った光束で形成される一対の画像信号は物体像の結像状態に応じて上下方向（図１(a).では左右方向）に位相がシフトしたものとなる。
【００４０】
以上のように開口部３９によって光路が二分割される際、撮像素子２５に結像する位相ずれ量をもった二つの画像ができ、それらを合わせることで三次元画像を作成することが可能となる。
【００４１】
［実施例２］
実施形態１と比較して、レンズ鏡筒１については光量調整装置１４以外構成が同じため説明を省略する。
【００４２】
図１１は本発明の実施形態２における光量調整装置内部の構成を示す図である。図１２は本発明の実施形態２における二次元撮影時の光量調整装置の絞り羽根の状態を示す図である（板金非表示）。
【００４３】
光量調整装置４３は開放開口部４５を備えた板金４４と分割絞り羽根４８と開口絞り羽根４６及び開口絞り羽根４７とベース部材４９とアクチュエータ５０とアクチュエータ５１によって構成されている。アクチュエータ５０はアーム５０aを備え、アクチュエータ５０へ通電することでアーム５０aが駆動する。その際アーム５０a上にある突起部５０bに嵌合された長穴部４８aに駆動力が加わり分割絞り羽根４８が摺動する。分割絞り羽根４８が摺動する際、レール部４８b、４８cが突起部４９b、４９cにガイドされながら直進する。５２は開放開口部４５と分割絞り羽根４８と開口絞り羽根４６、４７によって形成された、最終的に撮像素子２５に入射される光量を決定する開口部である。
【００４４】
分割絞り羽根４８は二次元撮像時に開口部５２から退避し、三次元撮影時は開口部３９を二分割するよう遮蔽する。絞り羽根の切り替えによって、撮像素子２５に入射する通常一つの光路を二分割する。
【００４５】
次に二次元撮像時の光量調整装置４３について説明する。図１２は撮像素子２５に入射される光量を絞った際の状態を示す。アクチュエータ５１はアーム５１aを備え、アクチュエータ５１へ通電することでアーム５１aが駆動する。その際アーム５１上にある突起部５１b、５１cに嵌合された長穴部４７a、４６aに駆動力が加わり開口絞り羽根４６、４７が摺動する。開口絞り羽根４６が摺動する際、レール部４６b、４６cが突起部４９c、４９bにガイドされながら直進する。開口絞り羽根４７が摺動する際、レール部４７b、４７cが突起部４９a、４９dにガイドされながら直進する。開口絞り羽根４６、４７の直進量を調整することで開口部３９は大きさを可変可能となる。
【００４６】
次に三次元撮像時の光量調整装置４３について説明する。図１３は本発明の実施形態２における三次元撮影時の視差調整時の光量調整装置の絞り羽根の状態を示す図である（板金非表示）。
【００４７】
図１４は本発明の実施形態２における三次元撮影時の光量調整時の光量調整装置の絞り羽根の状態を示す図である（板金非表示）。
【００４８】
視差調整について説明する。図１３(a)は図１２の状態から分割絞り羽根４８によって開口部５２を遮蔽し、第一の開口部５２aと第二の開口部５２bに２分割した状態である。図１３(b)は分割絞り羽根４８と開口絞り羽根４７、４８の摺動によって第一の開口部５２aと第二の開口部５２bの大きさは変えずに中心からの距離を移動させた状態を示す。図１３(c)は図１３(b)の開口部の拡大図である。なお一点鎖線部は開放開口部４５である。５３は図１３(a)の開口部を示す点線である。4枚の絞り羽根の摺動の組み合わせによって光量を絞ることなく、三次元撮像時の視差を調整することが可能である。
【００４９】
光量調整について説明する。図１４(b)は図１４(a)の状態から分割絞り羽根４８と開口絞り羽根４６、４７の摺動によって第一の開口部５２aと第二の開口部５２bの中心間距離は変えずに大きさを変えた状態を示す。また図１４(c)は図１４(b)の開口部の拡大図である。
５４は図１４(a)の開口部を示す点線である。４枚の絞り羽根の摺動の組み合わせによって視差を変更することなく三次元撮像時の光量を調整することが可能である。このように光量調整装置４３は視差と光量を調整できる。
【００５０】
さらに分割絞り羽根４８と開口絞り羽根４７をガイドする突起部４９b、４９dは共通のガイドである。このようにすることで光量調整装置４３を小型化でき、結果的にレンズ鏡筒１を小型化することができる。
【００５１】
［実施例３］
実施形態１と比較して、レンズ鏡筒１については光量調整装置１４以外構成が同じため、説明を省略する。図１５は本発明の実施形態３における光量調整装置内部の構成を示す図である。図１６は本発明の実施形態３における二次元撮影時の光量調整装置の絞り羽根の状態を示す図である（板金非表示）。
【００５２】
光量調整装置５５は開口部５７を備えた板金５６と分割絞り羽根５８とベース部材５９とアクチュエータ６０によって構成されている。アクチュエータ６０はアーム６０aを備え、アクチュエータ６０へ通電することでアーム６０aが駆動する。その際アーム６０a上にある突起部６０bに嵌合された長穴部５８aに駆動力が加わり分割絞り羽根５８が摺動する。分割絞り羽根５８が摺動する際、レール部５８b、５８cが突起部５９b、５９cにガイドされながら直進する。
【００５３】
分割絞り羽根５８は二次元撮像時に開口部５７から退避し、三次元撮影時は開口部５７を二分割するよう遮蔽する。絞り羽根の切り替えによって、撮像素子２５に入射する通常一つの光路を二分割する。
【００５４】
次に二次元撮像時の光量調整装置５５について説明する。図１６は二次元撮像時の開口部の状態で、光量調整装置５５は開口系が一定の固定絞りである。そのため二次元撮像時は常に分割絞り羽根５８が二次元開口部５７から退避した状態となる。次に三次元撮像時の光量調整装置５５について説明する。
【００５５】
図１７は本発明の実施形態３における三次元撮影時の視差調整時の光量調整装置の絞り羽根の状態を示す図である（板金非表示）。
【００５６】
視差調整について説明する。図１７(a)は図１６の状態から分割絞り羽根５８によって開口部５７を遮蔽し、第一の開口部５７aと第二の開口部５７bに２分割した状態である。図１７(b)は分割絞り羽根５８の摺動によって、第一の開口部５７aと第二の開口部５７bの中心からの距離を移動させた状態を示す。図１７(c)は図１７(b)の開口部の拡大図である。なお一点鎖線部は開口部５７である。
【００５７】
６１は図１７(a)の開口部を示す点線である。実施例１や実施例２と異なり光量が可変すするものの、分割絞り羽根５８によって、三次元撮像時の視差を調整することが可能である。
【００５８】
以上、本発明の好ましい実施形態について説明したが、本発明はこれらの実施形態に限定されず、その要旨の範囲内で種々の変形及び変更が可能である。
【符号の説明】
【００５９】
１４  光量調整装置、３２  分割絞り羽根(第一)、３３  第一の開口絞り羽根、
３４  第二の開口絞り羽根、３５  分割絞り羽根(第二)、
３７  アクチュエータ（第一の駆動部）、３９  開口部(二次元撮像時)、
３９a  第一の開口部(三次元撮像時)、３９b  第二の開口部(三次元撮像時)
【図１】
2016029415.tif 000003
【図２】
2016029415.tif 000004
【図３】
2016029415.tif 000005
【図４】
2016029415.tif 000006
【図５】
2016029415.tif 000007
【図６】
2016029415.tif 000008
【図７】
2016029415.tif 000009
【図８】
2016029415.tif 000010
【図９】
2016029415.tif 000011
【図１０】
2016029415.tif 000012
【図１１】
2016029415.tif 000013
【図１２】
2016029415.tif 000014
【図１３】
2016029415.tif 000015
【図１４】
2016029415.tif 000016
【図１５】
2016029415.tif 000017
【図１６】
2016029415.tif 000018
【図１７】
2016029415.tif 000019